(57)【要約】      （修正有）【課題】ガス圧によって油を噴出させる、油とガスを補充可能な補充式噴霧器を提供する。【解決手段】補充式噴霧器は、缶体１０と、ノズル２０と、ガス充填弁３０と、排気弁４０とを備える。その内、前記缶体１０は、複数の缶状部材を組み立てることにより構成されると共に、上缶部１１と、下缶部１２と、ガスケット１３とを備え、該上缶部１１は、既定の量のガスを収容するために内部に形成されるスペースと、上部に形成される上開口と、下部に形成される下開口と、上缶部１１の側壁における上開口の近傍に形成される嵌合孔１１２とを有する。前記下缶部１２は、分離可能に前記上缶部１１の第１連結端１１１に取り付けられると共に、その内部に、前記既定の量のガスと均一に混合するための既定の量の油を収容する空間を形成し、上端に、上開口を形成し、該第１連結端１１１に螺合する。【選択図】図２
0003154597.tif 000002
【実用新案登録請求の範囲】
【請求項１】
上缶部と、分離可能に該上缶部に組み立てられる下缶部とを備える缶体と、前記上缶部の上部に設けられるノズルと、前記缶体に設けられるガス充填弁と、前記缶体に設けられる排気弁とを有することを特徴する補充式噴霧器。
【請求項２】
前記上缶部は、下部に下開口が形成される第１連結端を備え、
前記下缶部は、上部に上開口が形成されると共に、分離可能に前記上缶部の第１連結端に取り付けられる第２連結端を備えることを特徴する請求項１項に記載の補充式噴霧器。
【請求項３】
前記下缶部の第２連結端は、前記上缶部の第１連結端と螺合されることを特徴とする請求項２項に記載の補充式噴霧器。
【請求項４】
前記第１連結端における下開口の内側にねじ山が形成されると共に、前記第２連結端における上開口の外側に、第１連結端のねじ山と螺合するねじ山が形成されることを特徴とする請求項２項乃至３の何れか１項に記載の補充式噴霧器。
【請求項５】
前記排気弁は、前記上缶部の嵌合孔に螺入される挿設端と、該上缶部の嵌合孔から延出する排気端と、該挿設端と排気端との間に環状に凸設される環状突縁と、該挿設端に設けられると共に、該環状突縁と上缶部との間に挟持されるワッシャーとを備えることを特徴とする請求項４項に記載の補充式噴霧器。
【請求項６】
前記下缶部の下部内側に、ねじ山が形成される設置孔が貫穿され、該設置孔にガス充填弁が設けられることを特徴とする請求項１項に記載の補充式噴霧器。
【請求項７】
前記下缶部の下部内側に、ねじ山が形成される設置孔が貫穿され、該設置孔に前記ガス充填弁が設けられることを特徴とする請求項５項に記載の補充式噴霧器。
【請求項８】
前記下缶部における第２連結端の周辺に、前記第１連結端の底縁に当接される係止部が設けられ、
前記缶体における、上缶部の底縁と下缶部の係止部との間にガスケットが挟着されることを特徴とする請求項７項に記載の補充式噴霧器。
【考案の詳細な説明】
【技術分野】
【０００１】
本考案は、特にガス圧によって油を噴出させる、油とガスを補充可能な補充式噴霧器に関するものである。
【背景技術】
【０００２】
図４に示すように、従来の噴霧器（６０）は、既定の比率に混合されたガスと油を充填し、ガス圧によって油を噴出させるものであるが、該従来の噴霧器（６０）は、油とガスを補充することができないので、全て使い終わると、廃棄しなくてはならないことから、環境に悪影響を与えてしまうといった問題があった。
【０００３】
また、図５及び図６に示すように、従来の補充式噴霧器（７０）は、油を収容するための、上部に形成される開口と、ガスを収容するための、下部に設けられる充填弁（７１１）とを備える缶体（７１）と、缶体（７１）の開口に設けられ、ガス圧によって、油を噴出するノズル（７２）と、油容器（７３）と、ガス補充管（７４）とを備える。
【０００４】
また、前記油容器（７３）は、前記補充式噴霧器（７０）の油を使い尽くした際に、前記缶体（７１）に補充する既定の量の油を収容するスペースと、下部に設けられ、該缶体（７１）の開口と対応する連結部とを備える。また、使い尽くした前記補充式噴霧器（７０）のガスを補充するために、前記ガス補充管（７４）の両端を夫々前記充填弁（７１１）とガスポンプに連結するが、ガスを前記缶体（７１）に充填する時、過大な気圧による事故を防ぐために、該充填弁（７１１）と連結されたガス補充管（７４）の一端に過剰のガスを排出する複数の通気道（７４２）が形成される。
【考案の概要】
【考案が解決しようとする課題】
【０００５】
しかしながら、前記従来の補充式噴霧器（７０）は、前記缶体（７１）に充填された既定の量の油を収容するためのスペースを有する前記油容器（７３）と、充填された既定の量のガスを収容するための缶体（７１）のガス補充管（７４）が必要とされるので、使用上、非常に不便であるといった問題があった。
【０００６】
そこで、案出されたのが本考案であって、夫々既定の量のガスと既定の量の油を収容することができる組み立て可能な上缶部と下缶部とを備えるので、簡単にガスと油を既定の比率に混合し、油を噴出させる効果を有する補充式噴霧器を提供することを目的とする。
【課題を解決するための手段】
【０００７】
本願の請求項１の考案は、上缶部と、分離可能に該上缶部に組み立てられる下缶部とを備える缶体と、前記上缶部の上部に設けられるノズルと、前記缶体に設けられるガス充填弁と、前記缶体に設けられる排気弁とを有することを特徴する補充式噴霧器、を提供する。
【０００８】
本願の請求項２の考案は、前記上缶部は、下部に下開口が形成される第１連結端を備え、
前記下缶部は、上部に上開口が形成されると共に、分離可能に前記上缶部の第１連結端に取り付けられる第２連結端を備えることを特徴する請求項１項に記載の補充式噴霧器を提供する。
【０００９】
本願の請求項３の考案は、前記下缶部の第２連結端は、前記上缶部の第１連結端と螺合されることを特徴とする請求項２項に記載の補充式噴霧器を提供する。
【００１０】
本願の請求項４の考案は、前記第１連結端における下開口の内側にねじ山が形成されると共に、前記第２連結端における上開口の外側に、第１連結端のねじ山と螺合するねじ山が形成されることを特徴とする請求項２項ないし３のいずれか１項に記載の補充式噴霧器を提供する。
【００１１】
本願の請求項５の考案は、前記排気弁は、前記上缶部の嵌合孔に螺入される挿設端と、該上缶部の嵌合孔から延出する排気端と、該挿設端と排気端との間に環状に凸設される環状突縁と、該挿設端に設けられると共に、該環状突縁と上缶部との間に挟持されるワッシャーとを備えることを特徴とする請求項４項に記載の補充式噴霧器を提供する。
【００１２】
本願の請求項６の考案は、前記下缶部の下部内側に、ねじ山が形成される設置孔が貫穿され、該設置孔にガス充填弁が設けられることを特徴とする請求項１項に記載の補充式噴霧器を提供する。
【００１３】
本願の請求項７の考案は、前記下缶部の下部内側に、ねじ山が形成される設置孔が貫穿され、該設置孔に前記ガス充填弁が設けられることを特徴とする請求項５項に記載の補充式噴霧器を提供する。
【００１４】
本願の請求項８の考案は、前記下缶部における第２連結端の周辺に、前記第１連結端の底縁に当接される係止部が設けられ、
前記缶体における、上缶部の底縁と下缶部の係止部との間にガスケットが挟着されることを特徴とする請求項７項に記載の補充式噴霧器を提供する。
【考案の効果】
【００１５】
本考案は上記の課題を解決するものであり、夫々既定の量のガスと既定の量の油を収容することができる組み立て可能な上缶部と下缶部とを備えるので、簡単にガスと油を既定の比率に混合し、油を噴出させることができる。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１は本考案に係る補充式噴霧器の斜視図であり、図２は本考案に係る補充式噴霧器の分解斜視図であり、図３は本考案に係る補充式噴霧器の使用状態を示す斜視図である。
【００１８】
図１及び図２に示すように、本考案に係る補充式噴霧器は、缶体（１０）と、ノズル（２０）と、ガス充填弁（３０）と、排気弁（４０）とを備えるものである。
【００１９】
その内、前記缶体（１０）は、複数の缶状部材を組み立てることにより構成されると共に、上缶部（１１）と、下缶部（１２）と、ガスケット（１３）とを備え、該上缶部（１１）は、既定の量のガスを収容するために内部に形成されるスペースと、上部に形成される上開口と、下部に形成される下開口と、前記下開口の内側に形成されるねじ山とを有する第１連結端（１１１）と、上缶部（１１）の側壁における上開口の近傍に形成される嵌合孔（１１２）とを有するものである。
【００２０】
前記下缶部（１２）は、分離可能に前記上缶部（１１）の第１連結端（１１１）に取り付けられると共に、その内部に、前記既定の量のガスと均一に混合するための既定の量の油を収容する空間が形成され、上端に、上開口が形成され、該第１連結端（１１１）に螺合されるように、該上開口の外周縁にねじ山が形成される第２連結端（１２１）と、前記第１連結端（１１１）の底縁に当接すると共に、前記第２連結端（１２１）の周辺に環状に設けられる係止部（１２２）と、下部に貫設される設置孔（１２３）と、を備えるものであり、該設置孔（１２３）の内周面にねじ山が形成される。
【００２１】
前記ガスケット（１３）は、缶体（１０）における、上缶部（１１）の底縁と前記下缶部（１２）の係止部（１２２）との間に挟着されると共に、前記ノズル（２０）は、前記缶体（１０）に収容された油の噴出を制御するために、前記上缶部（１１）の上開口を覆うように、該上開口の周辺に設けられるものである。
【００２２】
前記ガス充填弁（３０）は、前記缶体（１０）に設けられ、或いは前記下缶部（１２）の設置孔（１２３）に設けられると共に、内部にガスを充填するための通気道が形成され、さらに、該ガス充填弁（３０）は、内部に通気道が形成される雄ネジの形状を呈すると共に、該下缶部（１２）の設置孔（１２３）に螺合される螺合端と、該下缶部（１２）の設置孔（１２３）から外部に突出する突出端と、該螺合端と突出端の間に環設される当接環と、を備えるものである。
【００２３】
前記排気弁（４０）は、前記上缶部（１１）の前記嵌合孔（１１２）に取り付けられると共に、管状を呈し、内部にガスを排出するための排気通路が形成され、更に、雄ネジのように形成されると共に、該上缶部（１１）の嵌合孔（１１２）に螺合される挿設端（４１）と、前記上缶部（１１）の嵌合孔（１１２）から延出する排気端（４３）と、前記挿設端（４１）と排気端（４３）との間に環設されると共に、前記嵌合孔（１１２）の周辺に気密に当接される環状突縁（４２）と、前記挿設端（４１）に設けられると共に、前記環状突縁（４２）と上缶部（１１）との間に挟持されるワッシャー（４４）とを備えるものである。
【００２４】
図３に示すように、本考案の補充式噴霧器は、油を充填する時に、下缶部（１２）の内部に油を充填し、既定の量の油を収容することができる。
本考案の補充式噴霧器は、ガスを充填する時に、ガス充填管（５０）を利用し、前記ガス充填管（５０）の両端を夫々前記ガス充填弁（３０）の突出端とガスポンプ（符号なし）に連結することによって、該ガスポンプからガスを缶体（１０）に充填することができる。
【００２５】
さらに、前記缶体（１０）にガスを充填する時、過剰のガスは前記排気弁（４０）を介して外部へ排出されるので、該缶体（１０）内のガスと油との既定の比率を維持する、油を噴出することができる。
【産業上の利用可能性】
【００２６】
本考案の補充式噴霧器は上記の構成を有し、既定の量のガスと既定の量の油を収容することができるように上缶部と下缶部とが組み立てられるので、簡単にガスと油を既定の比率に混合し、油を噴出することができる。
【図面の簡単な説明】
【００２７】
【図１】図１は本考案に係る補充式噴霧器の斜視図である。
【図２】図２は本考案に係る補充式噴霧器の分解斜視図である。
【図３】図３は本考案に係る補充式噴霧器の使用状態を示す斜視図である。
【図４】図４は従来の噴霧器の斜視図である。
【図５】図５は従来の補充式噴霧器の斜視図である。
【図６】図６は従来の補充式噴霧器における油容器の斜視図である。
【図７】図７は従来の補充式噴霧器におけるガス充填弁の斜視図である。
【符号の説明】
【００２８】
１０                  缶体
１１                  上缶部
１１１            第１連結部
１１２            嵌合孔
１２                  下缶部
１２１            第２連結部
１２２            係止部
１２３            設置孔
１３                  ガスケット
２０                  ノズル
３０                  ガス充填弁
４０                  排気弁
４１                  挿入端
４２                  環状突縁
４３                  排気端
４４                  ワッシャー
【図１】
0003154597.tif 000003
【図２】
0003154597.tif 000004
【図３】
0003154597.tif 000005
【図４】
0003154597.tif 000006
【図５】
0003154597.tif 000007
【図６】
0003154597.tif 000008
【図７】
0003154597.tif 000009